(57)【要約】     【課題】  輝度調整器が挿入・配置されていない通常のプロジェクタをプロジェクタユニットとして用いても「黒浮き模様」の発生を抑制することができるマルチプロジェクションディスプレイを提供する。    【解決手段】  複数のプロジェクタユニットＰＪＡ，ＰＪＢ，ＰＪＣ，ＰＪＤからの投写画像により透過型スクリーンＳＣＲ１上に大画面画像を表示するマルチプロジェクションディスプレイ１００であって、  このマルチプロジェクションディスプレイにおける「黒浮き模様」と略反対のパターンになるような照明光を投写面に照射するための補助照明装置Ｌを備えたことを特徴とするマルチプロジェクションディスプレイ。【選択図】  図４
2005275077.tif 000002
【特許請求の範囲】
【請求項１】
複数のプロジェクタユニットからの投写画像により投写面上に大画面画像を表示するマ
ルチプロジェクションディスプレイであって、
このマルチプロジェクションディスプレイにおける「黒浮き模様」と略反対のパターン
になるような照明光を投写面に照射するための補助照明装置を備えたことを特徴とするマ
ルチプロジェクションディスプレイ。
【請求項２】
請求項１に記載のマルチプロジェクションディスプレイにおいて、
前記補助照明装置は、前記複数のプロジェクタユニットからの投写光が重畳していない
領域又は前記複数のプロジェクタユニットからの投写光が最も少なく重畳している領域を
重点的に照明することを特徴とするマルチプロジェクションディスプレイ。
【請求項３】
請求項１又は２に記載のマルチプロジェクションディスプレイにおいて、
前記補助照明装置は複数の補助光源を含むことを特徴とするマルチプロジェクションデ
ィスプレイ。
【請求項４】
請求項３に記載のマルチプロジェクションディスプレイにおいて、
前記複数の補助光源は、前記複数のプロジェクタユニットのそれぞれに対応して設けら
れていることを特徴とするマルチプロジェクションディスプレイ。
【請求項５】
請求項１〜４のいずれかに記載のマルチプロジェクションディスプレイにおいて、
このマルチプロジェクションディスプレイがリア型のマルチプロジェクションディスプ
レイであることを特徴とするマルチプロジェクションディスプレイ。
【請求項６】
請求項５に記載のマルチプロジェクションディスプレイにおいて、
各プロジェクタユニットにおける各画素ごとに画素値を補正する画素値補正装置をさら
に備えたことを特徴とするマルチプロジェクションディスプレイ。
【請求項７】
請求項１〜４のいずれかに記載のマルチプロジェクションディスプレイにおいて、
このマルチプロジェクションディスプレイがフロント型のマルチプロジェクションディ
スプレイであり、
投写面に投写された画像を撮影するための撮像装置をさらに備えたことを特徴とするマ
ルチプロジェクションディスプレイ。
【請求項８】
請求項７に記載のマルチプロジェクションディスプレイにおいて、
前記撮像装置による撮影結果に基づいて、各プロジェクタユニットにおける各画素ごと
に画素値を補正する画素値補正装置をさらに備えたことを特徴とするマルチプロジェクシ
ョンディスプレイ。
【請求項９】
請求項６又は８に記載のマルチプロジェクションディスプレイにおいて、
このマルチプロジェクションディスプレイの投写面における最低輝度を、前記複数のプ
ロジェクタユニットからの投写光が最も多数重畳している領域における最低輝度に揃える
ことを特徴とするマルチプロジェクションディスプレイ。
【請求項１０】
請求項６、８又は９に記載のマルチプロジェクションディスプレイにおいて、
このマルチプロジェクションディスプレイの投写面における最高輝度を、前記複数のプ
ロジェクタユニットからの投写光が重畳していない領域又は前記複数のプロジェクタユニ
ットからの投写光が最も少なく重畳している領域のうち、前記補助照明装置からの照明光
が最も弱く照射される領域における最高輝度に揃えることを特徴とするマルチプロジェク
ションディスプレイ。
【発明の詳細な説明】
【技術分野】
【０００１】
本発明は、複数のプロジェクタユニットからの投写画像により投写面上に大画面画像を
表示するマルチプロジェクションディスプレイに関する。
【背景技術】
【０００２】
複数のプロジェクタユニットを水平方向及び／又は垂直方向に配置し、これらの複数の
プロジェクタユニットからの投写画像をスクリーンに拡大投写することにより１つの大画
面画像を表示することができるマルチプロジェクションディスプレイが知られている。こ
のようなマルチプロジェクションディスプレイは、通常のプロジェクタに比較して、高精
細かつ高輝度の画像を表示することができるため、映画館、美術館、博物館、セミナー会
場、集会場、ミニシアター、公共機関、企業などの業務用分野やアミューズメント、ホー
ムシアターなどの家庭用分野において今後広く普及されていくことが期待されている。
【０００３】
ところで、液晶ライトバルブを用いたプロジェクタにおいては、いわゆる「黒浮き」と
いう問題があることが知られている。図１９は、プロジェクタにおける「黒浮き」を説明
するために示す図である。
液晶ライトバルブを用いたプロジェクタにおいては、白表示に対応するオン信号Ｉｍａ
ｘを液晶ライトバルブに与えたときに「白」が表示され、黒表示に対応するオフ信号Ｉｍ
ｉｎを液晶ライトバルブに与えたときに「黒」が表示され、白表示と黒表示との間の中間
調に対応する中間調信号を液晶ライトバルブに与えたときに「白と黒との中間調」が表示
される。
【０００４】
しかしながら、黒表示に対応するオフ信号Ｉｍｉｎを液晶ライトバルブに与えた場合で
あっても、実際には液晶ライトバルブは完全に閉じた状態にはならずに光を多少は透過し
てしまうのが現状である。このため、スクリーン上で「本当の黒（全く光が出ない黒）」
を表示しようとしても、実際には「本当の黒」を表示することはできず、図１９に示すよ
うに、「本当の黒よりも若干明るい黒」が表示されることになる。これを「黒浮き」とい
う。なお、この「黒浮き」は、液晶ライトバルブを用いたプロジェクタのみならず、他の
電気光学変調装置を用いたプロジェクタにおいても起こり得る。
【０００５】
図２０は、マルチプロジェクションディスプレイにおける「黒浮き模様」を説明するた
めに示す図である。
マルチプロジェクションディスプレイにおける「黒浮き模様」の問題は、上記したプロ
ジェクタにおける「黒浮き」の問題よりも深刻である。すなわち、マルチプロジェクショ
ンディスプレイにおいては、例えば画面全体を黒く表示したい場合であっても、各プロジ
ェクタユニットＰＪＡ，ＰＪＢ，ＰＪＣ，ＰＪＤからの投写光が重畳投写される領域ＲＡ
Ｂ，ＲＡＣ，ＲＡＢＣＤ，ＲＢＤ，ＲＣＤでは、マルチプロジェクションディスプレイか
らの「黒」に係る投写光も重畳投写されることになり、その結果、その領域ＲＡＢ，ＲＡ
Ｃ，ＲＡＢＣＤ，ＲＢＤ，ＲＣＤが明るい模様となって現れてしまうのである。この出願
においては、これを「黒浮き模様」ということにする。
【０００６】
なお、このようなマルチプロジェクションディスプレイにおいて、各プロジェクタユニ
ットＰＪＡ，ＰＪＢ，ＰＪＣ，ＰＪＤからの投写光が重畳投写される領域ＲＡＢ，ＲＡＣ
，ＲＡＢＣＤ，ＲＢＤ，ＲＣＤについては、各プロジェクタユニットからの投写光量を落
として、これらの領域を目立たないようにする技術が知られている（例えば、特許文献１
参照。）。しかしながら、「黒」表示に係る投写光量はこれ以上落とすことができないた
め、この技術では「黒浮き模様」を抑制することができない。
【０００７】
図２１は、このような「黒浮き模様」に係る問題を解決することができる従来のマルチ
プロジェクションディスプレイを説明するために示す図である。図２１（ａ）は従来のマ
ルチプロジェクションディスプレイの構成を示す図であり、図２１（ｂ）は輝度調整器の
作用を示す図である。
このマルチプロジェクションディスプレイ９００においては、図２１（ａ）に示すよう
に、それぞれのプロジェクタユニット９１０Ａ、９１０Ｂ，９１０Ｃにおいて、液晶ライ
トバルブ９１３Ａ，９１３Ｂ，９１３Ｃと投写レンズ９１４Ａ，９１４Ｂ，９１４Ｃとの
間に輝度調整器９１６Ａ，９１６Ｂ，９１６Ｃが、挿入・配置されている。そして、この
輝度調整器９１６Ａ，９１６Ｂ，９１６Ｃは、それぞれが図２１（ｂ）に示すような光透
過率分布特性を有している（例えば、特許文献２参照。）。
【０００８】
このため、このマルチプロジェクションディスプレイ９００によれば、各プロジェクタ
ユニット９１０Ａ、９１０Ｂ，９１０Ｃからの投写光が重畳投写される領域ＲＡＢ，ＲＢ
Ｃにおいては、輝度調整器９１６Ａ，９１６Ｂ，９１６Ｃの作用によって、「本当の黒よ
りも若干明るい黒」を表示する投写光における投写光量が減じられることになるため、こ
れによりこれらの重畳領域ＲＡＢ，ＲＢＣにおける「黒浮き模様」の発生が抑制されるよ
うになる。
【０００９】
【特許文献１】特開平６−１７８３２７号公報
【特許文献２】特開平４−２１３４４４号公報
【発明の開示】
【発明が解決しようとする課題】
【００１０】
しかしながら、このような従来のマルチプロジェクションディスプレイにおいては、プ
ロジェクタユニットとして、液晶ライトバルブと投写レンズとの間に上記したような輝度
調整器が挿入・配置された特殊なプロジェクタを用いる必要があるため、そのような輝度
調整器が挿入・配置されていない通常のプロジェクタをプロジェクタユニットとして用い
ることができないという問題点があった。
【００１１】
そこで、本発明は、輝度調整器が挿入・配置されていない通常のプロジェクタをプロジ
ェクタユニットとして用いても「黒浮き模様」の発生を抑制することができるマルチプロ
ジェクションディスプレイを提供することを目的とする。
【課題を解決するための手段】
【００１２】
（１）本発明のマルチプロジェクションディスプレイは、複数のプロジェクタユニットか
らの投写画像により投写面上に大画面画像を表示するマルチプロジェクションディスプレ
イであって、このマルチプロジェクションディスプレイにおける「黒浮き模様」と略反対
のパターンになるような照明光を投写面に照射するための補助照明装置を備えたことを特
徴とする。
【００１３】
このため、本発明のマルチプロジェクションディスプレイによれば、補助照明装置が「
黒浮き模様」と略反対のパターンになるような照明光を投写面に照射することにより、「
黒浮き模様」の発生を効果的に抑制することができるようになる。このため、輝度調整器
が挿入・配置されていない通常のプロジェクタをプロジェクタユニットとして用いても「
黒浮き模様」の発生を抑制することができるようになる。
【００１４】
（２）上記（１）に記載のマルチプロジェクションディスプレイにおいては、前記補助照
明装置は、前記複数のプロジェクタユニットからの投写光が重畳していない領域又は前記
複数のプロジェクタユニットからの投写光が最も少なく重畳している領域を重点的に照明
することが好ましい。
【００１５】
このように構成することにより、マルチプロジェクションディスプレイにおける「黒浮
き模様」と略反対のパターンになるような照明光を投写面に照射することができるように
なり、マルチプロジェクションディスプレイにおける「黒浮き模様」の発生を効果的に抑
制することができるようになる。
なお、マルチプロジェクションディスプレイにおいては、実施形態５で後述するように
、投写面のすべての点に少なくとも２台以上のプロジェクタユニットからの投写光が投写
されるようにして「黒浮き模様」の発生を抑制することも考えられる。このような場合に
は、補助照明装置が、複数のプロジェクタユニットからの投写光が最も少なく重畳してい
る領域（通常、この領域には２つの投写光が重畳していることが多いと考えられる。）を
重点的に照明するようにすればよい。
【００１６】
（３）上記（１）又は（２）に記載のマルチプロジェクションディスプレイにおいては、
前記補助照明装置は複数の補助光源を含むことが好ましい。
【００１７】
このように構成することにより、マルチプロジェクションディスプレイにおける「黒浮
き模様」と略反対のパターンになるようにきめ細かく照射することができるようになるた
め、「黒浮き模様」の発生をさらに効果的に抑制することができるようになる。
【００１８】
（４）上記（３）に記載のマルチプロジェクションディスプレイにおいては、前記複数の
補助光源は、前記複数のプロジェクタユニットのそれぞれに対応して設けられていること
が好ましい。
【００１９】
投写光が重畳投写される領域は、各プロジェクタユニットからの投写光が投写される各
単位投写領域のうちの周辺部に存在する。このため、上記のように構成することにより、
各プロジェクタユニットからの投写光が投写される各単位投写領域のうちの中心部を重点
的に照明することが可能になるため、「黒浮き模様」の発生を効果的に抑制することがで
きるようになる。
【００２０】
（５）上記（１）〜（４）のいずれかに記載のマルチプロジェクションディスプレイにお
いては、このマルチプロジェクションディスプレイがリア型のマルチプロジェクションデ
ィスプレイであることが好ましい。
【００２１】
リア型のマルチプロジェクションディスプレイの場合には、各プロジェクタユニット及
び透過型スクリーンの位置関係が固定しているため、「黒浮き模様」が発生する領域も固
定している。このため、「黒浮き模様」が発生する領域に対応して正確に補助照明装置を
配置することができるようになるため、「黒浮き模様」の発生を効果的に抑制することが
できるようになる。
【００２２】
（６）上記（５）に記載のマルチプロジェクションディスプレイにおいては、各プロジェ
クタユニットにおける各画素ごとに画素値を補正する画素値補正装置をさらに備えること
が好ましい。
【００２３】
本発明のマルチプロジェクションディスプレイにおいては、補助照明装置が「黒浮き模
様」を正確に反転したパターンの照明光を投写面に照射すれば「黒浮き模様」の発生を完
全に抑制することができるのであるが、実際には「黒浮き模様」を正確に反転したパター
ンの照明光を投写面に照射することは容易ではないため、「黒浮き模様」の発生を完全に
防止することは容易ではない。
しかしながら、上記のように構成することにより、各画素ごとに画素値（輝度値及び／
又は色値）を適切に補正することにより、完全には防止し切れなかった「黒浮き模様」の
発生をほとんど完全に抑制することができるようになる。
【００２４】
この場合において、補助照明装置を用いずに画素値を補正することとしても「黒浮き模
様」の発生を抑制することができるが、補助照明装置を用いて予め「黒浮き模様」の発生
をある程度抑制し、そのうえで画素値を補正することで、画素値を補正することに起因す
る実効階調数の低下やダイナミックレンジの低下を最小限のものにすることができる。
画素値の補正は、各プロジェクタユニットからの「黒」表示に係る投写光が投写された
投写面及び補助照明装置からの照明光が照射された投写面をそれぞれ撮像装置を用いて撮
影し、その結果に基づいて行うのが好ましい。
【００２５】
（７）上記（１）〜（４）のいずれかに記載のマルチプロジェクションディスプレイにお
いては、このマルチプロジェクションディスプレイがフロント型のマルチプロジェクショ
ンディスプレイであり、投写面に投写された画像を撮影するための撮像装置をさらに備え
ることが好ましい。
【００２６】
フロント型のマルチプロジェクションディスプレイの場合には、各プロジェクタユニッ
ト及び透過型スクリーンの位置関係が使用状況によって変動するため、これに応じて「黒
浮き模様」が発生する領域も変動する。しかしながら、上記のように構成することにより
、撮像装置による撮影結果に基づいて「黒浮き模様」が発生する領域を特定することがで
きるので、その特定された領域に対応して補助照明装置を配置することができるようにな
るため、「黒浮き模様」の発生を効果的に抑制することができるようになる。
【００２７】
（８）上記（７）に記載のマルチプロジェクションディスプレイにおいては、前記撮像装
置による撮影結果に基づいて、各プロジェクタユニットにおける各画素ごとに画素値を補
正する画素値補正装置をさらに備えることが好ましい。
【００２８】
上記（６）でも説明したように、本発明のマルチプロジェクションディスプレイにおい
ては、補助照明装置が「黒浮き模様」を正確に反転したパターンの照明光を投写面に照射
すれば「黒浮き模様」の発生を完全に抑制することができるようになるのであるが、実際
には「黒浮き模様」を正確に反転したパターンの照明光を投写面に照射することは容易で
はないため、「黒浮き模様」の発生を完全に防止することは容易ではない。
しかしながら、上記のように構成することにより、完全には防止し切れなかった「黒浮
き模様」を撮像装置により撮影し、この撮影結果に基づいて各画素ごとに画素値（輝度値
及び／又は色値）を適切に補正することにより、「黒浮き模様」の発生をほとんど完全に
抑制することができるようになる。
【００２９】
この場合において、補助照明装置を用いずに画素値を補正することとしても「黒浮き模
様」の発生を抑制することができるが、補助照明装置を用いて予め「黒浮き模様」の発生
をある程度抑制し、そのうえで画素値を補正することで、画素値を補正することに起因す
る実効階調数の低下やダイナミックレンジの低下を最小限のものにすることができる。
画素値の補正は、各プロジェクタユニットからの「黒」表示に係る投写光が投写された
投写面及び補助照明装置からの照明光が照射された投写面を撮像装置を用いて撮影し、そ
の結果に基づいて行うのが好ましい。
【００３０】
（９）上記（６）又は（８）に記載のマルチプロジェクションディスプレイにおいては、
このマルチプロジェクションディスプレイの投写面における最低輝度を、前記複数のプロ
ジェクタユニットからの投写光が最も多数重畳される領域における最低輝度に揃えること
が好ましい。
【００３１】
複数のプロジェクタユニットからの投写光が最も多数重畳される領域における最低輝度
は、この領域における各プロジェクタユニットからの「黒」表示に係る投写光及び補助照
明装置からの照明光を足した場合の輝度となる。もちろん、複数のプロジェクタユニット
からの投写光が最も多数重畳される領域以外の領域においては、最低輝度として、複数の
プロジェクタユニットからの投写光が最も多数重畳される領域における最低輝度よりも低
い輝度を採用することは可能である。しかしながら、複数のプロジェクタユニットからの
投写光が最も多数重畳される領域以外の領域においても、その最低輝度を複数のプロジェ
クタユニットからの投写光が最も多数重畳される領域における最低輝度に揃えることによ
って、「黒浮き模様」の発生をより完全に抑制することができるようになる。
この場合には、「黒」を表示する際には、複数のプロジェクタユニットからの投写光が
最も多数重畳される領域以外の領域においては、入力信号のレベルを少し上げて、複数の
プロジェクタユニットからの投写光が最も多数重畳される領域における「黒」の明るさに
あわせるようにする。
【００３２】
（１０）上記（６）、（８）又は（９）に記載のマルチプロジェクションディスプレイに
おいては、このマルチプロジェクションディスプレイの投写面における最高輝度を、前記
複数のプロジェクタユニットからの投写光が重畳していない領域又は前記複数のプロジェ
クタユニットからの投写光が最も少なく重畳している領域のうち、前記補助照明装置から
の照明光が最も弱く照射される領域における最高輝度に揃えることが好ましい。
【００３３】
複数のプロジェクタユニットからの投写光が重畳していない領域又は複数のプロジェク
タユニットからの投写光が最も少なく重畳している領域のうち、補助照明装置からの照明
光が最も弱く照射される領域における最高輝度は、この領域における各プロジェクタユニ
ットからの「白」表示に係る投写光及び補助照明装置からの照明光を足した場合の輝度と
なる。もちろん、複数のプロジェクタユニットからの投写光が重畳している領域や、複数
のプロジェクタユニットからの投写光が重畳していない領域のうち補助照明装置からの照
明光が比較的強く照射される領域においては、最高輝度として、さらに高い輝度を採用す
ることは可能である。しかしながら、これらの領域においても、その最高輝度を上記のよ
うな領域における最高輝度に揃えることによって、マルチプロジェクションディスプレイ
の投写面における「白」の面内輝度分布特性をより向上させることができるようになる。
この場合には、「白」を表示する際には、複数のプロジェクタユニットからの投写光が
重畳している領域や、複数のプロジェクタユニットからの投写光が重畳していない領域又
は複数のプロジェクタユニットからの投写光が最も少なく重畳している領域のうち補助照
明装置からの照明光が比較的強く照射される領域においては、入力信号のレベルを少し下
げて、複数のプロジェクタユニットからの投写光が重畳していない領域のうち補助照明装
置からの照明光が最も弱く照射される領域における「白」の明るさにあわせるようにする
。
【発明を実施するための最良の形態】
【００３４】
以下、本発明のマルチプロジェクションディスプレイについて、図に示す実施の形態に
基づいて説明する。
【００３５】
［実施形態１］  
図１は、本発明の実施形態１に係るマルチプロジェクションディスプレイを説明するた
めに示す模式図である。図２は、本発明の実施形態１に係るマルチプロジェクションディ
スプレイを説明するために示すブロック図である。図３は、本発明の実施形態１に係るマ
ルチプロジェクションディスプレイを説明するために示す斜視図である。図３（ａ）は比
較例に係るマルチプロジェクションディスプレイを示す図であり、図３（ｂ）は実施形態
１に係るマルチプロジェクションディスプレイを示す図である。
図４は、本発明の実施形態１に係るマルチプロジェクションディスプレイにおける照明
状態を説明するために示す図である。図４（ａ）はプロジェクタユニットからの投写光に
よる照明状態を示す図であり、図４（ｂ）は補助光源からの照明光による照明状態を示す
図であり、図４（ｃ）はこれらの投写光及び照明光による照明状態を示す図である。
図１〜図４は背面から見た図である。
【００３６】
実施形態１に係るマルチプロジェクションディスプレイ１００は、図１〜図４に示すよ
うに、筐体（図示せず）内に４台のプロジェクタユニットＰＪＡ，ＰＪＢ，ＰＪＣ，ＰＪ
Ｄ及び筐体前面に投写面としての透過型スクリーンＳＣＲ１を備え、これら４台のプロジ
ェクタユニットＰＪＡ，ＰＪＢ，ＰＪＣ，ＰＪＤからの投写画像により透過型スクリーン
ＳＣＲ１上に大画面画像を表示するリア型のマルチプロジェクションディスプレイである
。
【００３７】
実施形態１に係るマルチプロジェクションディスプレイ１００は、図１〜図４に示すよ
うに、マルチプロジェクションディスプレイにおける「黒浮き模様」と略反対のパターン
（図４（ｂ）参照。）になるような照明光を透過型スクリーンＳＣＲ１に照射するための
補助照明装置Ｌをさらに備えている。この補助照明装置Ｌは、透過型スクリーンＳＣＲ１
の四隅における背面側に配置された４つの補助光源ＬＡ，ＬＢ，ＬＣ，ＬＤを備えている
。
【００３８】
また、実施形態１に係るマルチプロジェクションディスプレイ１００は、図２に示すよ
うに、投写表示したいコンテンツを入力するための画像入力部１０、画像入力部１０に入
力されたコンテンツに係る画像情報を加工する画像加工部２０、画像加工部２０で加工さ
れた画像情報を各プロジェクタユニットに出力する画像出力部３０、補助照明装置Ｌのオ
ンオフ制御を行なう照明制御部４０及びこれらの各部を制御する制御部５０を備えている
。
【００３９】
このため、実施形態１に係るマルチプロジェクションディスプレイ１００によれば、図
１〜図４に示すように、透過型スクリーンＳＣＲ１の四隅に補助照明装置Ｌの４つの補助
光源ＬＡ，ＬＢ，ＬＣ，ＬＤが配置されているため、図４（ｂ）に示すように、４台のプ
ロジェクタユニットＰＪＡ，ＰＪＢ，ＰＪＣ，ＰＪＤからの投写光が重畳していない領域
ＲＡ，ＲＢ，ＲＣ，ＲＤが重点的に照明される、すなわち「黒浮き模様」と略反対のパタ
ーンになるような照明光が透過型スクリーンＳＣＲ１に照射されるようになる。このため
、図４（ｃ）に示すように、「黒浮き模様」の発生を効果的に抑制することができるよう
になる。その結果、従来のマルチプロジェクションディスプレイ９００に示すような輝度
調整器が挿入・配置されていない通常のプロジェクタをプロジェクタユニットとして用い
ても「黒浮き模様」の発生を抑制することができるようになる。
【００４０】
本発明のマルチプロジェクションディスプレイにおいては、補助照明装置として、１つ
の補助光源からなる補助照明装置を用いることもできるが、実施形態１に係るマルチプロ
ジェクションディスプレイ１００にように、複数（例えば４つ）の補助光源を含む補助装
置とすることが好ましい。このように構成することにより、マルチプロジェクションディ
スプレイにおける「黒浮き模様」と略反対のパターンになるように照明光をきめ細かく照
射することができるようになるため、「黒浮き模様」の発生をさらに効果的に抑制するこ
とができるようになる。
【００４１】
また、本発明のマルチプロジェクションディスプレイにおいては、補助照明装置として
、複数の補助光源が各プロジェクタユニットに対応して設けられていない補助照明装置（
例：プロジェクタユニット２台に補助光源１つ）を用いることもできるが、実施形態１に
係るマルチプロジェクションディスプレイ１００のように、補助光源が各プロジェクタユ
ニットに対応して設けられた補助照明装置を用いることが好ましい。
投写光が重畳投写される領域は、各プロジェクタユニットからの投写光が投写される各
単位投写領域のうちの周辺部に存在する。このため、このように構成することにより、各
プロジェクタユニットからの投写光が投写される各単位投写領域のうちの中心部を重点的
に照明することが可能になるため、「黒浮き模様」の発生を効果的に抑制することができ
るようになる。
この場合、各プロジェクタユニット１台について補助光源を２つずつ設けることとして
もよい。
【００４２】
実施形態１に係るマルチプロジェクションディスプレイ１００は、上記したように、リ
ア型のマルチプロジェクションディスプレイである。このため、各プロジェクタユニット
ＰＪＡ，ＰＪＢ，ＰＪＣ，ＰＪＤ及び透過型スクリーンＳＣＲ１の位置関係が固定してい
るため、「黒浮き模様」が発生する領域も固定している。その結果、「黒浮き模様」が発
生する領域に対応して補助照明装置Ｌ（補助光源ＬＡ，ＬＢ，ＬＣ，ＬＤ）を正確に配置
することができるため、「黒浮き模様」の発生を効果的に抑制することができる。
【００４３】
以下、実施形態１に係るマルチプロジェクションディスプレイ１００における、補助照
明装置の作用・効果を図５〜図１２に基づいて説明する。
図５及び図６は、１台のプロジェクタユニットからの「黒」表示を行うときの投写光に
よる、投写面上における面内輝度特性を示す図である。図５は、面内輝度分布を三次元グ
ラフで表した図であり、図６は面内輝度分布を等高線で表した図である。
図７及び図８は、４台のプロジェクタユニットからの「黒」表示を行うときの投写光に
よる、投写面上における面内輝度特性を示す図である。図７は、面内輝度分布を三次元グ
ラフで表した図であり、図８は面内輝度分布を等高線で表した図である。
【００４４】
図９及び図１０は、４つの補助光源からの照明光による、投写面上における面内輝度特
性を示す図である。図９は、面内輝度分布を三次元グラフで表した図であり、図１０は面
内輝度分布を等高線で表した図である。
図１１及び図１２は、４台のプロジェクタユニットからの「黒」表示を行うときの投写
光及び４つの補助光源からの照明光を重畳させた場合の、投写面上における面内輝度特性
を示す図である。図１１は、面内輝度分布を三次元グラフで表した図であり、図１２は面
内輝度分布を等高線で表した図である。
【００４５】
これらの図５〜図１２から分かるように、実施形態１に係るマルチプロジェクションデ
ィスプレイ１００によれば、透過型スクリーンＳＣＲ１の四隅に補助照明装置Ｌの４つの
補助光源ＬＡ，ＬＢ，ＬＣ，ＬＤが配置されているため、図９及び図１０に示すように、
４台のプロジェクタユニットＰＪＡ，ＰＪＢ，ＰＪＣ，ＰＪＤからの投写光が重畳してい
ない領域が重点的に照明される、すなわち「黒浮き模様」と略反対のパターンになるよう
な照明光が透過型スクリーンＳＣＲ１に照射されるようになる。このため、図１１及び図
１２に示すように、面内輝度分布が完全に均一とはいえないまでも、補助照明装置Ｌを併
用しない場合（図７及び図８参照。）と比べると最高輝度と最低輝度との差が圧縮され、
これにより「黒浮き模様」の発生が効果的に抑制される。その結果、輝度調整器が挿入・
配置されていない通常のプロジェクタをプロジェクタユニットとして用いても「黒浮き模
様」の発生を抑制することができるようになる。
【００４６】
［実施形態２］  
図１３は、本発明の実施形態２に係るマルチプロジェクションディスプレイを説明する
ために示すブロック図である。図１３は背面から見た図である。
実施形態２に係るマルチプロジェクションディスプレイ２００は、実施形態１に係るマ
ルチプロジェクションディスプレイ１００の構成に加えて、各プロジェクタユニットにお
ける各画素ごとに画素値を補正する画素値補正装置をさらに備えている。この画素値補正
装置は、図１３に示す画像加工部２０の中に設けられており、予め求めておいた輝度分布
情報に基づいて画素値（輝度値及び／又は色値）の補正を行うこととしている。
【００４７】
本発明のマルチプロジェクションディスプレイにおいては、「黒浮き模様」を正確に反
転したパターンの照明光を投写面に照射することは容易ではないため、「黒浮き模様」の
発生を完全に防止することは容易ではない。
しかしながら、実施形態２に係るマルチプロジェクションディスプレイ２００によれば
、上記のような画素値補正装置を備えているため、各画素ごとに画素値（輝度値及び／又
は色値）を適切に補正することができるようになり、その結果、完全には防止し切れなか
った「黒浮き模様」の発生をほとんど完全に抑制することができるようになる。
【００４８】
なお、この場合において、補助照明装置を用いずに画素値を補正することとして「黒浮
き模様」の発生を抑制することもできるが、実施形態２に係るマルチプロジェクションデ
ィスプレイ２００のように、補助照明装置を用いて予め「黒浮き模様」の発生をある程度
抑制し、そのうえで画素値を補正することで、画素値を補正することに起因する実効階調
数の低下やダイナミックレンジの低下を最小限のものにすることができる。
【００４９】
実施形態２に係るマルチプロジェクションディスプレイ２００においては、画素値の補
正は、各プロジェクタユニットＰＪＡ，ＰＪＢ，ＰＪＣ，ＰＪＤからの「黒」表示に係る
投写光が投写された投写面及び補助照明装置Ｌからの照明光が照射された投写面をそれぞ
れ図示しない撮像装置を用いて撮影し、その結果に基づいて行うこととしている。
【００５０】
実施形態２に係るマルチプロジェクションディスプレイ２００においては、マルチプロ
ジェクションディスプレイの投写面における最低輝度を、複数のプロジェクタユニットＰ
ＪＡ，ＰＪＢ，ＰＪＣ，ＰＪＤからの投写光が最も多数重畳される領域ＲＡＢＣＤ（図１
３では図示せず。図２０参照。実施形態２において以下同様。）における最低輝度に揃え
ることとしている。
上記した領域ＲＡＢＣＤにおける最低輝度は、領域ＲＡＢＣＤにおける各プロジェクタ
ユニットＰＪＡ，ＰＪＢ，ＰＪＣ，ＰＪＤからの「黒」表示に係る投写光及び補助照明装
置Ｌからの照明光を足した場合の輝度となる。もちろん、この領域ＲＡＢＣＤ以外の領域
においては、最低輝度として、領域ＲＡＢＣＤにおける最低輝度よりも低い輝度を採用す
ることは可能である。しかしながら、上記した領域ＲＡＢＣＤ以外の領域においても、最
低輝度を領域ＲＡＢＣＤにおける最低輝度に揃えることによって、「黒浮き模様」の発生
をより完全に抑制することができるようになる。
【００５１】
この場合には、「黒」を表示する際には、領域ＲＡＢＣＤ以外の領域においては、入力
信号のレベルを少し上げて、上記領域ＲＡＢＣＤにおける「黒」の明るさにあわせるよう
にする。
【００５２】
実施形態２に係るマルチプロジェクションディスプレイ２００においては、マルチプロ
ジェクションディスプレイの投写面における最高輝度を、複数のプロジェクタユニットＰ
ＪＡ，ＰＪＢ，ＰＪＣ，ＰＪＤからの投写光が重畳していない領域のうち、補助照明装置
Ｌからの照明光が最も弱く照射される領域における最高輝度に揃えることとしている。
【００５３】
複数のプロジェクタユニットＰＪＡ，ＰＪＢ，ＰＪＣ，ＰＪＤからの投写光が重畳して
いない領域ＲＡ，ＲＢ，ＲＣ，ＲＤのうち、補助照明装置Ｌからの照明光が最も弱く照射
される領域における最高輝度は、この領域ＲＡ，ＲＢ，ＲＣ，ＲＤにおける各プロジェク
タユニットＰＪＡ，ＰＪＢ，ＰＪＣ，ＰＪＤからの「白」表示に係る投写光及び補助照明
装置Ｌからの照明光を足した場合の輝度となる。もちろん、複数のプロジェクタユニット
ＰＪＡ，ＰＪＢ，ＰＪＣ，ＰＪＤからの投写光が重畳している領域ＲＡＢ，ＲＡＣ，ＲＡ
ＢＣＤ，ＲＢＤ，ＲＣＤや、複数のプロジェクタユニットＰＪＡ，ＰＪＢ，ＰＪＣ，ＰＪ
Ｄからの投写光が重畳していない領域ＲＡ，ＲＢ，ＲＣ，ＲＤのうち補助照明装置Ｌから
の照明光が比較的強く照射される領域においては、最高輝度として、さらに高い輝度を採
用することは可能である。しかしながら、これらの領域においても、最高輝度を上記のよ
うな領域における最高輝度に揃えることによって、マルチプロジェクションディスプレイ
の投写面における「白」の面内輝度分布特性をより向上させることができるようになる。
【００５４】
この場合には、「白」を表示する際には、複数のプロジェクタユニットＰＪＡ，ＰＪＢ
，ＰＪＣ，ＰＪＤからの投写光が重畳している領域ＲＡＢ，ＲＡＣ，ＲＡＢＣＤ，ＲＢＤ
，ＲＣＤや、複数のプロジェクタユニットＰＪＡ，ＰＪＢ，ＰＪＣ，ＰＪＤからの投写光
が重畳していない領域ＲＡ，ＲＢ，ＲＣ，ＲＤのうち補助照明装置Ｌからの照明光が比較
的強く照射される領域においては、入力信号のレベルを少し下げて、複数のプロジェクタ
ユニットＰＪＡ，ＰＪＢ，ＰＪＣ，ＰＪＤからの投写光が重畳していない領域のうち補助
照明装置からの照明光が最も弱く照射される領域における「白」の明るさにあわせるよう
にする。
【００５５】
実施形態２に係るマルチプロジェクションディスプレイ２００においては、上記のよう
に定められた最低輝度と最高輝度との間で定められるダイナミックレンジを所定の階調数
で按分することにより、各画素ごとに入力信号−輝度特性を求め、この入力信号−輝度特
性に基づいて各画素ごとに適切な入力信号を与えてマルチプロジェクションディスプレイ
の表示を行うこととしている。そして、実施形態２に係るマルチプロジェクションディス
プレイ２００においては、補助照明装置Ｌを用いて予め「黒浮き模様」の発生をある程度
抑制し、そのうえで得られたダイナミックレンジを所定の階調数で按分することができる
ようになるため、画素値を補正することに起因する実効階調数の低下を最小限のものにす
ることができるという効果も得られる。
【００５６】
以上のように、実施形態２に係るマルチプロジェクションディスプレイ２００によれば
、「黒浮き模様」を抑制することにとどまらず、オリジナルのコンテンツが有する輝度情
報及び色情報を、実効階調数を損なうことなく、またダイナミックレンジをそれ程損なう
ことなく、極めて正確に再現することができるようになる。
【００５７】
［実施形態３］  
図１４及び図１５は、本発明の実施形態３に係るマルチプロジェクションディスプレイ
を説明するために示すブロック図である。図１４は撮影時における動作を説明するための
ブロック図であり、図１５は投写時における動作を説明するためのブロック図である。
実施形態３に係るマルチプロジェクションディスプレイ３００は、４台のプロジェクタ
ユニットＰＪＡ，ＰＪＢ，ＰＪＣ，ＰＪＤからの投写画像により反射型スクリーンＳＣＲ
２上に大画面画像を表示するフロント型のマルチプロジェクションディスプレイである。
【００５８】
実施形態３に係るマルチプロジェクションディスプレイ３００は、図１４及び図１５に
示すように、マルチプロジェクションディスプレイにおける「黒浮き模様」と略反対のパ
ターンになるような照明光を反射型スクリーンＳＣＲ２に照射するための補助照明装置Ｌ
を備えている。この補助照明装置Ｌは、反射型スクリーンＳＣＲ２の四隅における前面側
に配置された４つの補助光源ＬＡ，ＬＢ，ＬＣ，ＬＤを備えている。
実施形態３に係るマルチプロジェクションディスプレイ３００は、反射型スクリーンＳ
ＣＲ２に投写された画像を撮影するための撮像装置としてのカメラＣをさらに備えている
。
【００５９】
このため、実施形態３に係るマルチプロジェクションディスプレイ３００によれば、反
射型スクリーンＳＣＲ２の四隅に補助照明装置Ｌの４つの補助光源ＬＡ，ＬＢ，ＬＣ，Ｌ
Ｄが配置されているため、４台のプロジェクタユニットＰＪＡ，ＰＪＢ，ＰＪＣ，ＰＪＤ
からの投写光が重畳していない領域ＲＡ，ＲＢ，ＲＣ，ＲＤが補助照明装置Ｌにより重点
的に照明されるようになる、すなわち「黒浮き模様」と略反対のパターンになるような照
明光が反射型スクリーンＳＣＲ２に照射されるようになる。このため、実施形態１及び２
に係るマルチプロジェクションディスプレイ１００，２００の場合と同様に、「黒浮き模
様」の発生を効果的に抑制することができるようになる。その結果、輝度調整器が挿入・
配置されていない通常のプロジェクタをプロジェクタユニットとして用いても「黒浮き模
様」の発生を抑制することができるようになる。
【００６０】
また、実施形態３に係るマルチプロジェクションディスプレイ３００によれば、カメラ
Ｃによる撮影結果に基づいて「黒浮き模様」が発生する領域を特定することができるため
、各プロジェクタユニットＰＪＡ，ＰＪＢ，ＰＪＣ，ＰＪＤや反射型スクリーンＳＣＲ２
の設置状況（設置位置や設置姿勢）に応じて補助照明装置を配置することができるように
なり、その結果、「黒浮き模様」の発生を一層効果的に抑制することができるようになる
。
【００６１】
また、実施形態３に係るマルチプロジェクションディスプレイ３００においては、カメ
ラＣによる撮影結果に基づいて、各プロジェクタユニットＰＪＡ，ＰＪＢ，ＰＪＣ，ＰＪ
Ｄにおける各画素ごとに画素値を補正する画素値補正装置をさらに備えている。この画素
値補正装置は、図１４の制御部５２の中に設けられている。
【００６２】
本発明のマルチプロジェクションディスプレイにおいては、補助照明装置が「黒浮き模
様」を正確に反転したパターンの照明光を投写面に照射すれば「黒浮き模様」の発生を完
全に抑制することができるのであるが、実際には「黒浮き模様」を正確に反転したパター
ンの照明光を投写面に照射することは容易ではないため、「黒浮き模様」の発生を完全に
防止することは容易ではない。
しかしながら、実施形態３に係るマルチプロジェクションディスプレイ３００によれば
、完全には防止し切れなかった「黒浮き模様」をカメラＣにより撮影し、この撮影結果に
基づいて各画素ごとに画素値（輝度値及び／又は色値）を補正することとしているので、
「黒浮き模様」の発生をほとんど完全に抑制することができるようになる。
【００６３】
なお、この場合において、補助照明装置を用いずに画素値を補正することとしても「黒
浮き模様」の発生を抑制することができるが、実施形態３に係るマルチプロジェクション
ディスプレイ３００のように、補助照明装置Ｌを用いて予め「黒浮き模様」の発生をある
程度抑制し、そのうえで画素値を補正することで、画素値を補正することに起因するダイ
ナミックレンジの低下を最小限のものにすることができる。
【００６４】
また、実施形態３に係るマルチプロジェクションディスプレイ３００においては、画素
値補正装置は、輝度分布情報記憶部７０に記憶された情報に基づいて画素値の補正を行う
こととしているが、これに代えて、輝度分布情報に基づいて算出した画素値補正式又は画
素値補正テーブルを記憶しておき、この画素値補正式又は画素値補正テーブルを用いて画
素値の補正を行うこととしてもよい。
この場合において、画素値補正式を用いて画素値の補正を行うこととした場合には記憶
部すべき容量を小さくすることができるという利益があり、画素値補正テーブルを用いて
画素値の補正を行うこととした場合には画素値の補正を行う際の計算量を減らすことがで
きるという利益がある。
【００６５】
なお、実施形態３に係るマルチプロジェクションディスプレイ３００においては、反射
型スクリーンＳＣＲ２に投写された画像を撮影するための撮像装置としてのカメラＣは、
「黒浮き模様」を抑制するために必要な撮影を行うのに加えて、各プロジェクタユニット
ＰＪＡ，ＰＪＢ，ＰＪＣ，ＰＪＤからの単位投写画像を滑らかに接続するために必要な撮
影をも行う。
【００６６】
［実施形態４］  
図１６は、本発明の実施形態４に係るマルチプロジェクションディスプレイを説明する
ために示す図である。
実施形態４に係るマルチプロジェクションディスプレイ４００は、図１６に示すように
、３台のプロジェクタユニットＰＪＡ，ＰＪＢ，ＰＪＣと横長の反射型スクリーンＳＣＲ
３を備え、パノラマ画像などの横長画像を投写することができるマルチプロジェクション
ディスプレイである。
【００６７】
実施形態４に係るマルチプロジェクションディスプレイ４００においても、図１６に示
すように、マルチプロジェクションディスプレイにおける「黒浮き模様」と略反対のパタ
ーンになるような照明光を反射型スクリーンＳＣＲ３に照射するための補助照明装置Ｌを
備えている。この補助照明装置Ｌは、反射型スクリーンＳＣＲ３の前面側上面に配置され
た３つの補助光源ＬＡ，ＬＢ，ＬＣを備えている。
【００６８】
このため、実施形態４に係るマルチプロジェクションディスプレイ４００によれば、反
射型スクリーンＳＣＲ３の上面に補助照明装置Ｌの３つの補助光源ＬＡ，ＬＢ，ＬＣが配
置されているため、３台のプロジェクタユニットＰＪＡ，ＰＪＢ，ＰＪＣからの投写光が
重畳していない領域が補助照明装置Ｌにより重点的に照明されるようになる、すなわち「
黒浮き模様」と略反対のパターンになるような照明光が反射型スクリーンＳＣＲ３に照射
されるようになる。このため、実施形態１〜３に係るマルチプロジェクションディスプレ
イ１００，２００，３００の場合と同様に、「黒浮き模様」の発生を効果的に抑制するこ
とができるようになる。その結果、従来のマルチプロジェクションディスプレイ９００に
示すような輝度調整器が挿入・配置されていない通常のプロジェクタをプロジェクタユニ
ットとして用いても「黒浮き模様」の発生を抑制することができるようになる。
【００６９】
［実施形態５］  
図１７は、本発明の実施形態５に係るマルチプロジェクションディスプレイを説明する
ために示すブロック図である。図１８は、本発明の実施形態５に係るマルチプロジェクシ
ョンディスプレイを説明するために示す斜視図である。図１８（ａ）は比較例に係るマル
チプロジェクションディスプレイを示す図であり、図１８（ｂ）は実施形態５に係るマル
チプロジェクションディスプレイを示す図である。
実施形態５に係るマルチプロジェクションディスプレイ５００は、図１７及び図１８に
示すように、透過型スクリーンＳＣＲ１全面に投写光を投写する５台目のプロジェクタユ
ニットＰＪＸをさらに備えた点で、実施形態２に係るマルチプロジェクションディスプレ
イ２００とは異なっている。
【００７０】
しかしながら、実施形態５に係るマルチプロジェクションディスプレイ５００は、図１
７及び図１８に示すように、実施形態２に係るマルチプロジェクションディスプレイ２０
０と同様に、マルチプロジェクションディスプレイにおける「黒浮き模様」と略反対のパ
ターンになるような照明光を透過型スクリーンＳＣＲ１に照射するための補助照明装置Ｌ
をさらに備えているため、「黒浮き模様」の発生を効果的に抑制することができるように
なる。その結果、輝度調整器が挿入・配置されていない通常のプロジェクタをプロジェク
タユニットとして用いても「黒浮き模様」の発生を抑制することができるようになる。
【００７１】
なお、実施形態５に係るマルチプロジェクションディスプレイ５００においては、プロ
ジェクタユニットからの投写光が最も少なく重畳している領域ＲＡ，ＲＢ，ＲＣ，ＲＤ（
図２０参照。）には常に２つの投写光が重畳していることになるが、補助照明装置Ｌはこ
れらの領域を重点的に照明することによって、実施形態２に係るマルチプロジェクション
ディスプレイ２００の場合と同様に、マルチプロジェクションディスプレイにおける「黒
浮き模様」と略反対のパターンになるような照明光を透過型スクリーンＳＣＲ１に照射す
ることができる。
【００７２】
以上、本発明のマルチプロジェクションディスプレイを上記の各実施形態に基づいて説
明したが、本発明は上記の各実施形態に限られるものではなく、その要旨を逸脱しない範
囲において種々の態様において実施することが可能であり、例えば次のような変形も可能
である。 
【００７３】
（１）上記各実施形態のマルチプロジェクションディスプレイ１００〜５００は、３台〜
５台のプロジェクタユニットを備えたマルチプロジェクションディスプレイであるが、本
発明は２台又は６台以上のプロジェクタユニットを備えたマルチプロジェクションディス
プレイにも適用することが可能であり、同様の効果を得ることができる。
【図面の簡単な説明】
【００７４】
【図１】実施形態１に係るマルチプロジェクションディスプレイを説明するために示す模式図。
【図２】実施形態１に係るマルチプロジェクションディスプレイを説明するために示すブロック図。
【図３】実施形態１に係るマルチプロジェクションディスプレイを説明するために示す斜視図。
【図４】実施形態１に係るマルチプロジェクションディスプレイにおける照明状態を説明するために示す図。
【図５】１台のプロジェクタユニットからの「黒」表示を行うときの投写光による、投写面上における面内輝度特性を示す図。
【図６】１台のプロジェクタユニットからの「黒」表示を行うときの投写光による、投写面上における面内輝度特性を示す図。
【図７】４台のプロジェクタユニットからの「黒」表示を行うときの投写光による、投写面上における面内輝度特性を示す図。
【図８】４台のプロジェクタユニットからの「黒」表示を行うときの投写光による、投写面上における面内輝度特性を示す図。
【図９】４つの補助光源からの照明光による、投写面上における面内輝度特性を示す図。
【図１０】４つの補助光源からの照明光による、投写面上における面内輝度特性を示す図。
【図１１】４台のプロジェクタユニットからの「黒」表示を行うときの投写光及び４つの補助光源からの照明光を重畳させた場合の、投写面上における面内輝度特性を示す図。
【図１２】４台のプロジェクタユニットからの「黒」表示を行うときの投写光及び４つの補助光源からの照明光を重畳させた場合の、投写面上における面内輝度特性を示す図。
【図１３】実施形態２に係るマルチプロジェクションディスプレイを説明するために示すブロック図。
【図１４】実施形態３に係るマルチプロジェクションディスプレイを説明するために示すブロック図。
【図１５】実施形態３に係るマルチプロジェクションディスプレイを説明するために示すブロック図。
【図１６】実施形態４に係るマルチプロジェクションディスプレイを説明するために示す図。
【図１７】実施形態５に係るマルチプロジェクションディスプレイを説明するために示すブロック図。
【図１８】実施形態５に係るマルチプロジェクションディスプレイを説明するために示す斜視図。
【図１９】プロジェクタにおける「黒浮き」を説明するために示す図。
【図２０】マルチプロジェクションディスプレイにおける「黒浮き模様」を説明するために示す図。
【図２１】「黒浮き模様」に係る問題を解決することができる従来のマルチプロジェクションディスプレイを説明するために示す図。
【符号の説明】
【００７５】
１０…画像入力部、２０…画像加工部、３０…画像出力部、４０…照明制御部、５０，５
２…制御部、６０…輝度分布測定部、７０…輝度分布情報記憶部、１００，１００ａ，２
００，３００，４００，９００…マルチプロジェクションディスプレイ、Ｃ…カメラ、Ｐ
ＪＡ，ＰＪＢ，ＰＪＣ，ＰＪＤ，ＰＪＸ…プロジェクタユニット、Ｌ…補助照明装置、Ｌ
Ａ，ＬＢ，ＬＣ，ＬＤ…補助光源、ＳＣＲ１…透過型スクリーン、ＳＣＲ２，ＳＣＲ３…
反射型スクリーン
【図２１】
2005275077.tif 000003
【図１】
2005275077.tif 000004
【図２】
2005275077.tif 000005
【図３】
2005275077.tif 000006
【図４】
2005275077.tif 000007
【図５】
2005275077.tif 000008
【図６】
2005275077.tif 000009
【図７】
2005275077.tif 000010
【図８】
2005275077.tif 000011
【図９】
2005275077.tif 000012
【図１０】
2005275077.tif 000013
【図１１】
2005275077.tif 000014
【図１２】
2005275077.tif 000015
【図１３】
2005275077.tif 000016
【図１４】
2005275077.tif 000017
【図１５】
2005275077.tif 000018
【図１６】
2005275077.tif 000019
【図１７】
2005275077.tif 000020
【図１８】
2005275077.tif 000021
【図１９】
2005275077.tif 000022
【図２０】
2005275077.tif 000023